(57)【要約】【課題】部品点数の増加を抑制することが可能なトルクリミッタ装置を備えた表示装置の台座およびトルクリミッタ装置を提供する。【解決手段】この液晶ディスプレイ１００（表示装置）の台座３０は、ディスプレイ本体１０を旋回させるステッピングモータ３４と、ステッピングモータ３４の駆動力を旋回部３１に伝達するための伝達ギア部３３とを備える。そして、伝達ギア部３３は、回転軸と同心円状に複数の片部６１ｂが一体的に設けられた従動側ギア６１と、従動側ギア６１の片部６１ｂの外周面１６ｃに嵌め合わされる原動側ギア６２と、従動側ギア６１の片部６１ｂの内周面６１ｄに圧入されることによって、片部６１ｂを原動側ギア６２に圧接させるバネ部材６３とを有するトルクリミッタ装置６０を含んでいる。【選択図】図７
2008095760.tif 000002
【特許請求の範囲】
【請求項１】
表示画面部を旋回させる駆動源と、前記駆動源の駆動力を旋回部に伝達するための伝達ギア部とを備えた表示装置の台座において、
前記伝達ギア部は、
回転軸と同心円状に複数の片部が所定の角度範囲で一体的に設けられた従動側ギア部材と、
前記従動側ギア部材の前記片部の外周面に嵌め合わされる原動側ギア部材と、
前記従動側ギア部材の前記片部の内周面に圧入されることによって、前記片部を前記原動側ギア部材に圧接させるバネ部材とを有するトルクリミッタ装置を含み、
前記トルクリミッタの前記従動側ギア部材の前記片部の先端部には、前記原動側ギア部材の一方側への抜けを抑制するための抜止部が前記従動側ギア部材と一体的に設けられるとともに、
前記従動側ギア部材の前記片部の前記先端部の前記内周側には、前記バネ部材の前記一方側への抜けを抑制するための突起部が前記従動側ギア部材と一体的に設けられ、
前記従動側ギア部材の同心円状に設けられた前記複数の片部間には、前記原動側ギア部材の他方側への抜けを抑制するための抜止片部と、前記バネ部材を保持するための座部とが、それぞれ交互に前記従動側ギア部材と一体的に設けられている、表示装置の台座。
【請求項２】
表示画面部を旋回させる駆動源と、
前記駆動源の駆動力を旋回部に伝達するための伝達ギア部とを備え、
前記伝達ギア部は、
回転軸と同心円状に複数の片部が一体的に設けられた従動側ギア部材と、
前記従動側ギア部材の前記片部の外周面に嵌め合わされる原動側ギア部材と、
前記従動側ギア部材の前記片部の内周面に圧入されることによって、前記片部を前記原動側ギア部材に圧接させるバネ部材とを有するトルクリミッタ装置を含む、表示装置の台座。
【請求項３】
回転軸と同心円状に複数の片部が一体的に設けられた第１回転部材と、
前記第１回転部材の前記片部の外周面に嵌め合わされる第２回転部材と、
前記第１回転部材の前記片部の内周面に圧入されることによって、前記片部を前記第２回転部材に圧接させるバネ部材とを備えた、トルクリミッタ装置。
【請求項４】
前記第１回転部材の前記片部の先端部は、前記第２回転部材の一方側への抜けを抑制するための抜止部を一体的に含む、請求項３に記載のトルクリミッタ装置。
【請求項５】
前記第１回転部材は、前記第１回転部材の前記複数の片部間に設けられ、前記第２回転部材の他方側への抜けを抑制するための抜止片部を一体的に含む、請求項３または４に記載のトルクリミッタ装置。
【請求項６】
前記第１回転部材は、前記第１回転部材の前記複数の片部間に設けられ、前記バネ部材を保持するための座部を一体的に含む、請求項３〜５のいずれか１項に記載のトルクリミッタ装置。
【請求項７】
前記第１回転部材は、前記第１回転部材の前記片部の前記先端部の前記内周側に設けられ、前記バネ部材の前記一方側への抜けを抑制するための突起部を一体的に含む、請求項３〜６のいずれか１項に記載のトルクリミッタ装置。
【請求項８】
前記第１回転部材の前記片部は、同心円状に所定の角度範囲で複数配置されているとともに、前記片部間には、前記抜止片部および前記座部が交互に設けられている、請求項３〜７のいずれか１項に記載のトルクリミッタ装置。
【請求項９】
前記第１回転部材は、従動側ギア部を一体的に含むとともに、前記第２回転部材は、原動側ギア部を一体的に含む、請求項３〜８のいずれか１項に記載のトルクリミッタ装置。  
【発明の詳細な説明】
【技術分野】
【０００１】
この発明は、トルクリミッタ装置を含む表示装置の台座およびトルクリミッタ装置に関する。
【背景技術】
【０００２】
従来、表示画面部を旋回させる駆動源と、駆動源の駆動力を旋回部に伝達するための伝達ギア部とを備えた表示装置の台座などに適用されるトルクリミッタ装置が知られている（たとえば、特許文献１〜３参照）。
【０００３】
上記特許文献１には、回転方向に当接面を有し、軸と一体となって回転する回転部材（第２の部材）と、回転部材の当接面と対向する位置に当接面を有し、回転部材と同軸的に回転可能に設けられた駆動ギアプレートと、押圧バネ（圧縮コイルバネ）と、押圧バネに付勢される押圧板と、押圧バネの押圧力を調整するための調整リングと、回転部材、駆動ギアプレートおよび押圧板のそれぞれの間に挟み込まれる２枚の摺動板とを備えたトルクリミッタ装置が開示されている。この特許文献１に記載のトルクリミッタ装置では、押圧バネ（圧縮コイルバネ）の押圧力によって、所定の値に調整された駆動ギアプレートの駆動トルクが、駆動ギアプレートと回転部材との間に挟まれた摺動板を介して回転部材に伝達されるとともに、一定の駆動トルク以上では、摺動板がスリップすることによって駆動ギアプレートの回転が回転部材に伝達されないように構成されている。
【０００４】
また、上記特許文献２には、回転軸に挿入され互いに対向するように設けられた２枚の大径ギアおよび小径ギアと、大径ギア内部に回転可能に配置された４つの鋼球と、４つの鋼球を大径ギアの両側から挟み込む２枚の摩擦板と、小径ギアが大径ギアの片方の摩擦板に駆動トルクを伝達可能に係合されるとともに、小径ギアを大径ギア側へ弾性付勢するスプリングとを備えたトルクリミッタ付ギアが開示されている。この特許文献２に記載のトルクリミッタ付ギアでは、スプリングの押圧力によって、所定の値に調整された小径ギアの駆動トルクが、２枚の摩擦板を介して大径ギアに伝達されるとともに、一定の駆動トルク以上では、４つの鋼球が回転することによって小径ギア側の摩擦板がスリップすることによって小径ギアの回転（駆動トルク）が大径ギアに伝達されないように構成されている。
【０００５】
また、上記特許文献３には、攪拌翼が直結された小径ギア（駆動側ギア）と、内部に小径ギアの攪拌翼を回転可能に収納する収納部（粘性流体室）を有する大径ギア（従動側ギア）と、Ｏリングを嵌め合わせた取付板側板によって大径ギアの収納部に密封された粘性流体とを備えた粘性継手が開示されている。この特許文献３に記載の粘性継手では、小径ギア（駆動側ギア）の回転によって回転される攪拌翼が、大径ギア（従動側ギア）の粘性流体に渦流を生じさせることによって、大径ギアが所定の駆動トルクによって攪拌翼に滑りながら駆動されるようにように構成されている。
【０００６】
【特許文献１】特開平７−１９００８３号公報
【特許文献２】特開２００４−３６０８０９号公報
【特許文献３】特開平６−１１０１６号公報
【発明の開示】
【発明が解決しようとする課題】
【０００７】
しかしながら、上記特許文献１に記載のトルクリミッタ装置では、押圧バネに一定の付勢力を得るための調整リングや、押圧バネの押圧力を付勢する押圧板などの多数の構成部材を設ける必要がある。このため、この特許文献１によるトルクリミッタ装置を、表示画面部を旋回させる駆動源と、駆動源の駆動力を旋回部に伝達するための伝達ギア部とを備えた表示装置（たとえば液晶ディスプレイなど）の台座に適用した場合には、伝達ギア部の部品点数が増加するという問題点がある。
【０００８】
また、上記特許文献２に記載のトルクリミッタ付きギアでは、大径ギア内部に回転可能に配置された４つの鋼球や、４つの鋼球を大径ギアの両側から挟み込む２枚の摩擦板などの多数の構成部材を設ける必要がある。このため、この特許文献２によるトルクリミッタ付きギアを、表示画面部を旋回させる駆動源と、駆動源の駆動力を旋回部に伝達するための伝達ギア部とを備えた表示装置（たとえば液晶ディスプレイなど）の台座に適用した場合には、伝達ギア部の部品点数が増加するという問題点がある。
【０００９】
また、上記特許文献３に記載の粘性継手では、粘性流体をはじめ、粘性流体を収納部に密封するためのＯリングや、Ｏリングを嵌め合わせる取付板側板などの多数の構成部材を設ける必要がある。このため、この特許文献３による粘性継手を、表示画面部を旋回させる駆動源と、駆動源の駆動力を旋回部に伝達するための伝達ギア部とを備えた表示装置（たとえば液晶ディスプレイなど）の台座に適用した場合には、伝達ギア部の部品点数が増加するという問題点がある。
【００１０】
この発明は、上記のような課題を解決するためになされたものであり、この発明の１つの目的は、部品点数の増加を抑制することが可能なトルクリミッタ装置を含む表示装置の台座およびトルクリミッタ装置を提供することである。
【課題を解決するための手段および発明の効果】
【００１１】
この発明の第１の局面による表示装置の台座は、表示画面部を旋回させる駆動源と、駆動源の駆動力を旋回部に伝達するための伝達ギア部とを備えた表示装置の台座において、伝達ギア部は、回転軸と同心円状に複数の片部が所定の角度範囲で一体的に設けられた従動側ギア部材と、従動側ギア部材の片部の外周面に嵌め合わされる原動側ギア部材と、従動側ギア部材の片部の内周面に圧入されることによって、片部を原動側ギア部材に圧接させるバネ部材とを有するトルクリミッタ装置を含み、トルクリミッタの従動側ギア部材の片部の先端部には、原動側ギア部材の一方側への抜けを抑制するための抜止部が従動側ギア部材と一体的に設けられるとともに、従動側ギア部材の片部の先端部の内周側には、バネ部材の一方側への抜けを抑制するための突起部が従動側ギア部材と一体的に設けられ、従動側ギア部材の同心円状に設けられた複数の片部間には、原動側ギア部材の他方側への抜けを抑制するための抜止片部と、バネ部材を保持するための座部とが、それぞれ交互に従動側ギア部材と一体的に設けられている。
【００１２】
この第１の局面による表示装置の台座では、上記のように、伝達ギア部を、回転軸と同心円状に複数の片部が一体的に設けられた従動側ギア部材と、従動側ギア部材の片部の外周面に嵌め合わされる原動側ギア部材と、従動側ギア部材の片部の内周面に圧入されるとともに、片部を原動側ギア部材に圧接させるバネ部材との３つの部材からなるトルクリミッタ装置を含むように構成することによって、従動側ギア部材の片部の外周面と、原動側ギア部材の内周面とが直接的に面接触しながら、バネ部材による圧接力に応じた駆動トルクを原動側ギア部材から従動側ギア部材へと伝達させることができるので、原動側ギア部材や従動側ギア部材などのギア部材以外に、複数の摩擦板や複数の鋼球などを介在させるトルクリミッタ装置を有する伝達ギア部を含んだ構造と異なり、部品点数の増加を抑制することができる。
【００１３】
また、第１の局面による表示装置の台座では、従動側ギア部材の片部の先端部を、原動側ギア部材の一方側への抜けを抑制するための抜止部を一体的に含むように構成することによって、原動側ギア部材が所定の駆動トルク以上で回転し、従動側ギア部材の片部の外周面でスリップした場合においても、従動側ギア部材の抜止部が原動側ギア部材に当接することによって、原動側ギア部材が従動側ギア部材から原動機側ギア部材の一方側に脱落するのを容易に抑制することができる。また、従動側ギア部材を、従動側ギア部材の複数の片部間に、原動側ギア部材の他方側への抜けを抑制するための抜止片部を一体的に含むように構成することによって、原動側ギア部材が所定の駆動トルク以上で回転し、従動側ギア部材の片部の外周面でスリップした場合においても、従動側ギア部材の抜止片部が原動側ギア部材に当接することによって、原動側ギア部材が従動側ギア部材から原動機側ギア部材の他方側に脱落するのを容易に抑制することができる。また、従動側ギア部材を、従動側ギア部材の複数の片部間に、バネ部材を保持するための座部を一体的に含むように構成することによって、座部によってバネ部材の他方側への移動が抑制されるので、バネ部材を従動側ギア部材の片部の内周面に確実に配置することができる。
【００１４】
また、第１の局面による表示装置の台座では、従動側ギア部材を、従動側ギア部材の片部の先端部の内周側に、バネ部材の一方側への抜けを抑制するための突起部を一体的に含むように構成することによって、従動側ギア部の突起部によって、バネ部材の一方側への移動が抑制されるので、バネ部材が従動側ギア部材の片部の内周面から一方側に脱落するのを容易に抑制することができる。また、従動側ギア部材の片部は、同心円状に所定の角度間隔で複数配置されているとともに、片部間には、抜止片部および座部が交互に設けられているように構成することによって、従動側ギア部材は、同芯円状にそれぞれ異なる機能を有する片部、抜止片部および座部を一体的に設けることができるので、従動側ギア部材は、原動側ギア部材およびバネ部材を安定して配置することができる。
【００１５】
この発明の第２の局面による表示装置の台座は、表示画面部を旋回させる駆動源と、駆動源の駆動力を旋回部に伝達するための伝達ギア部とを備え、伝達ギア部は、回転軸と同心円状に複数の片部が一体的に設けられた従動側ギア部材と、従動側ギア部材の片部の外周面に嵌め合わされる原動側ギア部材と、従動側ギア部材の片部の内周面に圧入されることによって、片部を原動側ギア部材に圧接させるバネ部材とを有するトルクリミッタ装置を含む。
【００１６】
この第２の局面による表示装置の台座では、上記のように、伝達ギア部を、回転軸と同心円状に複数の片部が一体的に設けられた従動側ギア部材と、従動側ギア部材の片部の外周面に嵌め合わされる原動側ギア部材と、従動側ギア部材の片部の内周面に圧入されるとともに、片部を原動側ギア部材に圧接させるバネ部材との３つの部材からなるトルクリミッタ装置を含むように構成することによって、従動側ギア部材の片部の外周面と、原動側ギア部材の内周面とが直接的に面接触しながら、バネ部材による圧接力に応じた駆動トルクを原動側ギア部材から従動側ギア部材へと伝達させることができるので、原動側ギア部材や従動側ギア部材などのギア部材以外に、複数の摩擦板や複数の鋼球などを介在させるトルクリミッタ装置を有する伝達ギア部を含んだ構造と異なり、部品点数の増加を抑制することができる。
【００１７】
この発明の第３の局面によるトルクリミッタ装置は、回転軸と同心円状に複数の片部が一体的に設けられた第１回転部材と、第１回転部材の片部の外周面に嵌め合わされる第２回転部材と、第１回転部材の片部の内周面に圧入されることによって、片部を第２回転部材に圧接させるバネ部材とを備える。
【００１８】
この第３の局面によるトルクリミッタ装置では、上記のように、回転軸と同心円状に複数の片部が一体的に設けられた第１回転部材と、第１回転部材の片部の外周面に嵌め合わされる第２回転部材と、第１回転部材の片部の内周面に圧入されるとともに、片部を第２回転部材に圧接させるバネ部材とを備えるように構成することによって、第１回転部材の片部の外周面と、第２回転部材の内周面とが直接的に面接触しながら、バネ部材による圧接力に応じた駆動トルクを第２回転部材から第１回転部材へと伝達させることができるので、第１回転部材および第２回転部材などの回転部材以外に、複数の摩擦板や複数の鋼球などを介在させるトルクリミッタ装置の構造と異なり、部品点数の増加を抑制することができる。
【００１９】
上記第３の局面によるトルクリミッタ装置において、好ましくは、第１回転部材の片部の先端部は、第２回転部材の一方側への抜けを抑制するための抜止部を一体的に含む。このように構成すれば、第２回転部材が所定の駆動トルク以上で回転し、第１回転部材の片部の外周面でスリップした場合においても、第１回転部材の抜止部が第２回転部材に当接することによって、第２回転部材が第１回転部材から第２回転部材の一方側に脱落するのを容易に抑制することができる。
【００２０】
上記第３の局面によるトルクリミッタ装置において、好ましくは、第１回転部材は、第１回転部材の複数の片部間に設けられ、第２回転部材の他方側への抜けを抑制するための抜止片部を一体的に含む。このように構成すれば、第２回転部材が所定の駆動トルク以上で回転し、第１回転部材の片部の外周面でスリップした場合においても、第１回転部材の抜止片部が第２回転部材に当接することによって、第２回転部材が第１回転部材から第２回転部材の他方側に脱落するのを容易に抑制することができる。
【００２１】
上記第３の局面によるトルクリミッタ装置において、好ましくは、第１回転部材は、第１回転部材の複数の片部間に設けられ、バネ部材を保持するための座部を一体的に含む。このように構成すれば、座部によってバネ部材の他方側への移動が抑制されるので、バネ部材を第１回転部材の片部の内周面に確実に配置することができる。
【００２２】
上記第３の局面によるトルクリミッタ装置において、好ましくは、第１回転部材は、第１回転部材の片部の先端部の内周側に設けられ、バネ部材の一方側への抜けを抑制するための突起部を一体的に含む。このように構成すれば、第１回転部の突起部によって、バネ部材の一方側への移動が抑制されるので、バネ部材が第１回転部材の片部の内周面から一方側に脱落するのを容易に抑制することができる。
【００２３】
上記第３の局面によるトルクリミッタ装置において、好ましくは、第１回転部材の片部は、同心円状に所定の角度間隔で複数配置されているとともに、片部間には、抜止片部および座部が交互に設けられている。このように構成すれば、第１回転部材は、同心円状にそれぞれ異なる機能を有する片部、抜止片部および座部を一体的に設けることができるので、第１回転部材は、第２回転部材およびバネ部材を安定して配置することができる。
【００２４】
上記第３の局面によるトルクリミッタ装置において、好ましくは、第１回転部材は、従動側ギア部を一体的に含むとともに、第２回転部材は、原動側ギア部を一体的に含む。このように構成すれば、ギア部によって、第２回転部材に伝達された駆動トルクを、容易に、第１回転部材から他の回転部材へと伝達させることができる。
【発明を実施するための最良の形態】
【００２５】
以下、本発明を具体化した実施形態を図面に基づいて説明する。
【００２６】
図１は、本発明の一実施形態によるトルクリミッタ装置を含んだ台座が設けられた液晶ディスプレイの全体構成を示した斜視図である。図２は、図１に示した本発明の一実施形態による液晶ディスプレイの分解斜視図である。図３は、図１に示した本発明の一実施形態によるトルクリミッタ装置が設けられた台座の平面図である。図４〜図１３は、図１に示した本発明の一実施形態によるトルクリミッタ装置およびトルクリミッタ装置が設けられた台座の詳細構造を示した図である。まず、図１〜図１３を参照して、本発明の一実施形態によるトルクリミッタ装置およびトルクリミッタ装置が設けられた台座の構造について説明する。なお、本実施形態では、表示装置の一例である液晶ディスプレイの台座に本発明を適用した場合について説明する。
【００２７】
本発明の一実施形態による液晶ディスプレイ１００は、図１に示すように、ディスプレイ本体１０と、ディスプレイ本体１０を水平方向（矢印Ａ方向およびＢ方向）に所定の角度だけ旋回（たとえば±３０度）させるとともに、垂直方向（矢印Ｃ方向およびＤ方向）に所定の角度だけ傾けることが可能な台座３０とを備えている。なお、ディスプレイ本体１０は、本発明の「表示画面部」の一例である。
【００２８】
また、台座３０は、図２に示すように、ディスプレイ本体１０を支持する表示画面支持機構５０と、表示画面支持機構５０によって支持されているディスプレイ本体１０を水平方向（図１の矢印Ａ方向およびＢ方向）に旋回させるための旋回部３１と、樹脂製のカバー部材３２とから構成されている。また、図２に示すように、旋回部３１は、台座３０の内部に回動可能に配置されている。また、図３に示すように、台座３０の内部には、旋回部３１を回動させるための伝達ギア部３３と、伝達ギア部３３の駆動源となるステッピングモータ３４とから構成されている。また、伝達ギア部３３は、図４に示すように、樹脂製のギア３５と、トルクリミッタ装置６０と、樹脂製のギア３６と、樹脂製のギア３７とが樹脂製のギアボックス３８に配置されるように構成されている。また、トルクリミッタ装置６０は、ステッピングモータ３４の駆動力が所定の駆動トルク以下の場合に、ステッピングモータ３４の駆動力を伝達ギア部３３を介して旋回部３１に伝達することによって旋回部３１を台座３０の内部で旋回させることが可能であるとともに、ステッピングモータ３４の駆動力が所定の駆動トルク以上となった場合には、ステッピングモータ３４の駆動力が旋回部３１に伝達されないような機能を有するように構成されている。なお、ステッピングモータ３４は、本発明の「駆動源」の一例である。
【００２９】
ここで、本実施形態では、トルクリミッタ装置６０は、図６および図７に示すように、樹脂製の従動側ギア６１と、樹脂製の原動側ギア６２と、金属製のバネ部材６３（コイルバネ）とから構成されている。なお、従動側ギア６１および原動側ギア６２は、それぞれ、本発明の「第１回転部材」および「第２回転部材」の一例である。また、図７に示すように、従動側ギア６１には、ギア部６１ａと同心円状であるとともに、回転軸（１点鎖線６００）の軸方向と平行に伸びる複数（本実施形態では８つ）の片部６１ｂが、従動側ギア６１と一体的に設けられている。すなわち、片部６１ｂは、４５度の等角度間隔で８つ設けられている。そして、従動側ギア６１の下方から原動側ギア６２を矢印Ｐ方向（上方向）にスライドさせた場合に、後述する原動側ギア６２の内周面６２ａが、従動側ギア６１の片部６１ｂの外周面６１ｃと当接することによって、従動側ギア６１に嵌め合わされることが可能なように構成されている。また、図７に示すように、バネ部材６３を従動側ギア６１の上方から矢印Ｑ方向（下方向）に圧入した場合に、バネ部材６３の外側面が、従動側ギア６１の片部６１ｂの内周面６１ｄと当接することによって、従動側ギア６１の片部６１ｂが半径方向に押し広げられるとともに、図８に示すように、予め嵌め合わされた原動側ギア６２の内周面６２ａに圧接されるように構成されている。
【００３０】
また、本実施形態では、図１０および図１１に示すように、従動側ギア６１の片部６１ｂの先端部から、片部６１ｂの外周面６１ｃ側に向かって水平方向に伸びる抜止部６１ｅが片部６１ｂと一体的に形成されている。この抜止部６１ｅは、図８に示すように、原動側ギア６２が従動側ギア６１に嵌め合わされた際に、原動側ギア６２の一方側面６２ｃが抜止部６１ｅに当接することによって、原動側ギア６２が従動側ギア６１から矢印Ｐ方向（上方向）に抜け出ることを抑制する機能を有している。また、図１０および図１２に示すように、従動側ギア６１の隣接する片部６１ｂ（図１０参照）と片部６１ｂ（図１０参照）との間に、回転軸（図１２の１点鎖線６００）の軸方向から若干外側斜め上方向に向かって伸びる複数（本実施形態では４つ）の抜止片部６１ｆが、従動側ギア６１と一体的に設けられている。すなわち、抜止片部６１ｆは、９０度の等角度間隔で同心円状に４つ設けられている。この抜止片部６１ｆは、図９に示すように、原動側ギア６２が従動側ギア６１に嵌め合わされた際に、原動側ギア６２の他方側面６２ｄが抜止片部６１ｆに当接することによって、原動側ギア６２が従動側ギア６１から矢印Ｑ方向（下方向）に抜け落ちることを抑制する機能を有している。なお、図８および図９に示すように、従動側ギア６１の抜止部６１ｅ（図８参照）および抜止片部６１ｆ（図９参照）によって、原動側ギア６２は、従動側ギア６１の片部６１ｂの外周面６１ｃに嵌め合わされた位置が位置決めされるように構成されている。
【００３１】
また、本実施形態では、図１０および図１２に示すように、従動側ギア６１の隣接する片部６１ｂ（図１０参照）と片部６１ｂ（図１０参照）との間に、回転軸（図１２の１点鎖線６００）の軸方向と平行に伸びる複数（本実施形態では４つ）の座部６１ｇが、従動側ギア６１と一体的に設けられている。すなわち、座部６１ｇは、９０度の等角度間隔で同心円状に４つ設けられている。この座部６１ｇは、図９に示すように、バネ部材６３が従動側ギア６１に圧入された際に、バネ部材６３の一方側面６３ａが座部６１ｇに当接することによってバネ部材６３を保持するとともに、バネ部材６３は矢印Ｑ方向（下方向）へ移動することを抑制する機能を有している。また、図１１に示すように、従動側ギア６１の片部６１ｂの先端部の内周面６１ｄ側に突出するように、突起部６１ｈが片部６１ｂと一体的に形成されている。この突起部６１ｈは、図８に示すように、バネ部材６３が従動側ギア６１に圧入された際に、バネ部材６３の他方側面６３ｂが突起部６１ｈに当接することによって、バネ部材６３が従動側ギア６１から矢印Ｐ方向（上方向）に抜け出ることを抑制する機能を有している。なお、図８および図９に示すように、従動側ギア６１の座部６１ｇ（図９参照）および突起部６１ｈ（図８参照）によって、バネ部材６３は、従動側ギア６１の片部６１ｂの内周面６１ｇに圧入された状態が維持されるように構成されている。また、図１０に示すように、従動側ギア６１の抜止片部６１ｆおよび座部６１ｇは、隣接する片部６１ｂと片部６１ｂとの間で、それぞれ、抜止片部６１ｆと座部６１ｇとが交互に配置されるように設けられている。
【００３２】
また、図１３に示すように、樹脂製の原動側ギア６２は、中空形状を有し、従動側ギア６１の外周面６１ｃと当接する内周面６２ａと、ギア部６２ｂと、一方側面６２ｃと、他方側面６２ｄとが一体的に設けられている。
【００３３】
また、本実施形態では、図８に示すように、トルクリミッタ装置６０の原動側ギア６２は、バネ部材６３によって予め設定された付勢力で従動側ギア６１に圧接されているために、バネ部材６３の圧接力に伴う原動側ギア６２の内周面６２ａと、従動側ギア６１の外周面６１ｃとの摩擦力以上の駆動トルクが原動側ギア６２に対して発生した場合には、原動側ギア６２の内周面６２ａと、従動側ギア６１の外周面６１ｃとがスリップを起こすことによって、原動側ギア６２の駆動トルクが全て従動側ギア６１に伝達されないように構成されている。その一方で、バネ部材６３の圧接力に伴う原動側ギア６２の内周面６２ａと、従動側ギア６１の外周面６１ｃとの摩擦力以下の駆動トルクが原動側ギア６２に対して発生した場合には、原動側ギア６２の内周面６２ａは、従動側ギア６１の外周面６１ｃに対してスリップを起こさずに、原動側ギア６２の回転数を従動側ギア６１に伝達するように構成されている。
【００３４】
また、図４に示すように、ステッピングモータ３４の回転軸には、樹脂製のウォームギア３９が圧入されている。また、図４および図５に示すように、ギア３５は、大径ギア部３５ａと、小径ギア部３５ｂとを一体的に含んでいる。また、ギア３６は、大径ギア部３６ａと、小径ギア部３６ｂとを一体的に含んでいる。また、ギア３７は、大径ギア部３７ａと、小径ギア部３７ｂとを一体的に含んでいる。また、図３および図４に示すように、台座３０の旋回部３１は、板金製の円形状の旋回板４０と、樹脂製の旋回ギア部材４１とから構成されている。また、旋回ギア部材４１は、ネジ７０によって、旋回板４０の上面に固定されている。なお、図４では、伝達ギア部３３の構成を説明するために、伝達ギア部３３およびステッピングモータ３４を内部に配置するためのギアボックス３８（図３参照）は図面から省略している。
【００３５】
また、図４および図５に示すように、ウォームギア３９は、ギア３５の大径ギア部３５ａに、回転軸が直交するように噛合されているとともに、ギア３５の小径ギア部３５ｂは、トルクリミッタ装置６０の原動側ギア６２のギア部６２ｂに回転軸が平行に噛合されている。また、図４および図５に示すように、トルクリミッタ装置６０の従動側ギア６１のギア部６１ａは、ギア３６の大径ギア部３６ａに回転軸が平行に噛合されているとともに、ギア３６の小径ギア部３６ｂは、ギア３７の大径ギア部３７ａに回転軸が平行に噛合されている。また、図４および図５に示すように、ギア３７の小径ギア部３７ｂは、旋回ギア部材４１の旋回ギア部４１ａに回転軸が平行に噛合されている。したがって、図４および図５に示す上述のギア部材の配置関係から、ステッピングモータ３４の駆動力が、ウォームギア３９、ギア３５、トルクリミッタ装置６０、ギア３６、ギア３７および旋回ギア部材４１を介して旋回板４０へと伝達されるように構成されている。
【００３６】
また、表示画面支持機構５０は、図２に示すように、台座３０に設けられた旋回部３１の旋回板４０の上面に、４つのネジ７０によって固定されており、図１に示すように、ディスプレイ本体１０を台座３０に対して垂直方向（矢印Ｃ方向およびＤ方向）に回動可能とするとともに、ディスプレイ本体１０を台座３０に対して垂直方向（矢印Ｃ方向およびＤ方向）に所定の角度だけ傾斜させた状態で支持することが可能なように構成されている。
【００３７】
また、表示画面支持機構５０は、図２および図３に示すように、板金製の表示画面支持部材５１と、一対の垂直支持部材５２と、板金製の板状の支持軸５３と、板金製の抜止部材５４と、金属製の皿ばね５５（本実施形態では４枚）と、板金製の圧接板５６および５７と、金属製の皿ばね５５に当接する板部材５８とから構成されており、表示画面支持部材５１が、一対の垂直支持部材５２に所定のトルク以上で回動可能となるように取り付けられている。
【００３８】
また、板金製の表示画面支持部材５１は、図２に示すように、ディスプレイ本体取付部５１ａと、一対の回動部５１ｂとを一体的に含んでいる。また、表示画面支持部材５１のディスプレイ本体取付部５１ａには、４つのネジ挿入孔５１ｃが設けられている。また、表示画面支持部材５１の一対の回動部５１ｂは、ディスプレイ本体取付部５１ａの両側端部から、それぞれ、ディスプレイ本体取付部５１ａの表面に対して垂直方向に延びるように設けられている。
【００３９】
また、一対の垂直支持部材５２は、図２および図３に示すように、それぞれ、旋回板取付部５２ａと、回動部取付部５２ｂとを含んでいる。また、垂直支持部材５２の旋回板取付部５２ａには、４つのネジ取付孔５２ｃ（図３参照）が設けられている。また、垂直支持部材５２の回動部取付部５２ｂは、旋回板取付部５２ａの一方端部から旋回板取付部５２ａの表面に対して垂直方向の上方に延びるように設けられている。
【００４０】
また、図１および図２に示すように、ディスプレイ本体１０は、樹脂製のフロントキャビネット１１と、樹脂製のリアキャビネット１２とから構成されている。また、ディスプレイ本体１０の内部には、液晶パネル（図示せず）が取り付けられた液晶モジュール（図示せず）が、フロントキャビネット１１およびリアキャビネット１２とによって取り囲まれるように構成されている。また、ディスプレイ本体１０は、表示画面支持部材５１のネジ挿入孔５１ａを介して、ネジ取付孔（図示せず）にネジ７０が締め付けられることにより、表示画面支持部材５１に取り付けられている。また、リアキャビネット１２には、表示画面支持部材５１を覆い隠して配置するための切欠部１２ａが一体的に設けられている。また、リアキャビネット１２の外周部には、複数のネジ挿入孔１２ｂ（本実施形態では７個所）が設けられ、ネジ８０によってフロントキャビネット１１に取り付けられるように構成されている。また、リアキャビネット１２の側面部１２ｃには、図２に示すように、短形状の凹部１２ｄが形成されており、その凹部１２ｄには、複数の貫通孔１２ｅが形成されている。この複数の貫通孔１２ｅは、液晶モジュール１３を制御するための制御基板（図示せず）に接続されたＡＶ端子（図示せず）からケーブル類をディスプレイ本体１０の外部機器に接続するために設けられている。
【００４１】
また、台座３０の上部には、図２に示すように、樹脂製のカバー部材３２が取り付けられている。また、樹脂製のカバー部材３２には、表示画面支持機構５０を回動可能に配置するための切欠部３２ａが設けられている。
【００４２】
図１４および図１５は、図１に示した本発明の一実施形態によるトルクリミッタ装置が設けられた台座の旋回動作を説明するための図である。図１、図３、図４、図１４および図１５を参照して、本実施形態によるトルクリミッタ装置が設けられた台座の水平方向の旋回動作について説明する。
【００４３】
まず、図３に示すように、表示画面支持部材５１が正面を向いた状態（旋回ギア部材４１の旋回ギア部４１ａの中央部がギア３７の小径ギア部３７ｂと噛合している状態）から、ユーザが付属リモコン（図示せず）のオートターンボタン（図示せず）を押圧することによって、ディスプレイ本体１０（図１参照）を水平方向（図１の矢印Ａ方向）に旋回させる信号がディスプレイ本体１０の制御回路部（図示せず）に送信される。この信号に基づいて、台座３０のステッピングモータ３４が駆動される。具体的には、図３に示すように、ステッピングモータ３４が駆動するのに伴って、ステッピングモータ３４に取り付けられたウォームギア３９が矢印Ｅ１方向（図４参照）に回転するとともに、ギア３５を介してトルクリミッタ装置６０の原動側ギア６２が矢印Ｅ３方向に回転する。そして、トルクリミッタ装置６０の従動側ギア６１が矢印Ｅ３方向に回転するとともに、ギア３６およびギア３７を介して、旋回ギア部材４１が矢印Ｅ６方向に回転する。これにより、図１４に示すように、表示画面支持部材５１が取り付けられた旋回部３１が矢印Ｇ１方向に旋回を開始するので、ディスプレイ本体１０（図１参照）は、矢印Ａ方向（図１参照）へ旋回を開始する。
【００４４】
そして、図１４に示すように、ディスプレイ本体１０が載置された旋回部３１が所定の回転速度で矢印Ａ方向（図１参照）への旋回を継続する。
【００４５】
そして、ディスプレイ本体１０が、ユーザが希望する角度まで旋回された場合、ユーザは付属リモコン（図示せず）のオートターンボタン（図示せず）の押圧を解除することによって、ディスプレイ本体１０（図１参照）を水平方向（図１の矢印Ａ方向）に旋回させる信号がディスプレイ本体１０の制御回路部（図示せず）に送信されなくなる。したがって、ステッピングモータ３４の駆動が停止される。これにより、旋回部３１は、図１４に示すような位置で矢印Ｇ１方向への旋回を停止するとともに静止される。
【００４６】
また、ディスプレイ本体１０（図１参照）の矢印Ａ１方向（図１参照）への旋回動作がユーザによって継続されている状態において、旋回部３１の旋回角度が最大となった場合には、旋回板４０は旋回部３１の内部に設けられたストッパ部材（図示せず）に当接することによって、旋回動作が規制される。したがって、旋回部３１は、図１５に示すような位置で矢印Ｇ１方向への旋回を停止するとともに静止される。この際、ステッピングモータ３４は駆動を継続しているので、ステッピングモータ３４から伝達される駆動トルクがウォームギア３９およびギア３５を介して、トルクリミッタ装置６０の原動側ギア６２まで伝達される。
【００４７】
ここで、本実施形態では、原動側ギア６２は、バネ部材６３によって予め設定された付勢力で従動側ギア６１に圧接されているために、バネ部材６３の圧接力に伴う原動側ギア６２の内周面６２ａと、従動側ギア６１の外周面６１ｃとの摩擦力以上の駆動トルクが原動側ギア６２に対して発生した場合には、原動側ギア６２の内周面６２ａと、従動側ギア６１の外周面６１ｃとがスリップを起こすことによって、原動側ギア６２の駆動トルクが従動側ギア６１に伝達されない。つまり、従動側ギア６１は、原動側ギア６２の回転に関わらず回転が停止される。トルクリミッタ装置６０の原動側ギア６２以降の従動側ギア６１、ギア３６、ギア３７およびおよび旋回ギア部材４１には伝達されない。
【００４８】
なお、上記の旋回動作は、旋回部３１を図１４に示す矢印Ｇ１方向に旋回させる際について説明したが、矢印Ｇ１方向とは反対の矢印Ｈ１方向への旋回動作の際も、トルクリミッタ装置６０は、上記と同様の回転動作（トルク制御）を行うことによって、旋回部３１を矢印Ｈ１方向へ旋回させるとともに、ディスプレイ本体１０（図１参照）は矢印Ｂ方向（図１参照）に旋回される。
【００４９】
本実施形態では、上記のように、伝達ギア部３３を、回転軸と同心円状に８つの片部６１ｂが４５度の等角度間隔で一体的に設けられた従動側ギア６１と、従動側ギア６１の片部６１ｂの外周面６１ｃに嵌め合わされる原動側ギア６２と、従動側ギア６１の片部６１ｂの内周面６１ｄに圧入されるとともに、片部６１ｂを原動側ギア６２に圧接させるバネ部材６３との３つの部材からなるトルクリミッタ装置６０を含むように構成することによって、従動側ギア６１の片部６１ｂの外周面６１ｃと、原動側ギア６２の内周面６２ａとが直接的に面接触しながら、バネ部材６３による圧接力に応じた駆動トルクを原動側ギア６２から従動側ギア６１へと伝達させることができるので、原動側ギアや従動側ギアなどのギア部材以外に、複数の摩擦板や複数の鋼球などを介在させるトルクリミッタ装置を有する伝達ギア部を含んだ構造と異なり、部品点数の増加を抑制することができる。
【００５０】
また、本実施形態では、従動側ギア６１の片部６１ｂの先端部を、原動側ギア６２の矢印Ｐ方向（図７参照）への抜けを抑制するための抜止部６１ｅを一体的に含むように構成することによって、原動側ギア６２が所定の駆動トルク以上で回転し、従動側ギア６１の片部６１ｂの外周面６１ｃでスリップした場合においても、従動側ギア６１の抜止部６１ｅが原動側ギア６２の一方側面６２ｃに当接することによって、原動側ギア６２が従動側ギア６１から矢印Ｐ方向（図８参照）に脱落するのを容易に抑制することができる。
【００５１】
また、本実施形態では、従動側ギア６１を、従動側ギア６１の複数の片部６１ｂ間に、原動側ギア６２の矢印Ｑ方向（図７参照）への抜けを抑制するための抜止片部６１ｆを一体的に含むように構成することによって、原動側ギア６２が所定の駆動トルク以上で回転し、従動側ギア６１の片部６１ｂの外周面６１ｃでスリップした場合においても、従動側ギア６１の抜止片部６１ｆが原動側ギア６２の他方側面６２ｄに当接することによって、原動側ギア６２が従動側ギア６１から矢印Ｑ方向（図９参照）に脱落するのを容易に抑制することができる。
【００５２】
また、本実施形態では、従動側ギア６１を、従動側ギア６１の複数の片部６１ｂ間に、バネ部材６３を保持するための座部６１ｇを一体的に含むように構成することによって、座部６１ｇによってバネ部材６３の矢印Ｑ方向（図９参照）への移動が抑制されるので、バネ部材６３を従動側ギア６１の片部６１ｂの内周面６１ｄに確実に配置することができる。
【００５３】
また、本実施形態では、従動側ギア６１を、従動側ギア６１の片部６１ｂの先端部の内周面６１ｄ側に、バネ部材６３の矢印Ｐ方向（図７参照）への抜けを抑制するための突起部６１ｈを一体的に含むように構成することによって、従動側ギア６１の突起部６１ｈによって、バネ部材６３の矢印Ｐ方向（図８参照）への移動が抑制されるので、バネ部材６３が従動側ギア６１の片部６１ｂの内周面６１ｄから矢印Ｐ方向（図８参照）に脱落するのを容易に抑制することができる。
【００５４】
また、本実施形態では、従動側ギア６１の片部６１ｂは、同心円状に４５度の等間隔で８つ配置されているとともに、片部６１ｂ間に、抜止片部６１ｆおよび座部６１ｇが交互に（それぞれ４つずつ）設けられているように構成することによって、従動側ギア６１は、同芯円状にそれぞれ異なる機能を有する片部６１、抜止片部６１ｆおよび座部６１ｇを一体的に設けることができるので、従動側ギア６１は、原動側ギア６２およびバネ部材６３を安定して配置することができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、表示装置の一例としての液晶ディスプレイの台座に本発明を適用した例を示したが、本発明はこれに限らず、有機ＥＬパネルなどの液晶パネル以外の表示画面（表示パネル）を有する表示装置の台座にも適用可能である。
【００５７】
また、上記実施形態では、従動側ギア６１の片部６１ｂを４５度の等角度間隔で８つ設けた例を示したが、本発明はこれに限らず、従動側ギア６１の片部６１ｂを等角度間隔で設けなくてもよく、また、８つ以外でもよい。
【００５８】
また、上記実施形態では、従動側ギア６１の抜止片部６１ｆ、座部６１ｇおよび突起部６１ｈをそれぞれ等角度間隔で４つ設けた例を示したが、本発明はこれに限らず、抜止片部６１ｆ、座部６１ｇおよび突起部６１ｈをそれぞれ等角度間隔で設けなくてもよく、また、４つ以外でもよい。
【００５９】
また、上記実施形態では、伝達ギア部３３を構成する複数のギア部材を樹脂製とした例を示したが、本発明はこれに限らず、樹脂製以外のたとえば金属製のギア部材によって伝達ギア部を構成するようにしてもよい。
【図面の簡単な説明】
【００６０】
【図１】本発明の一実施形態によるトルクリミッタ装置を含んだ台座が設けられた液晶ディスプレイの全体構成を示した斜視図である。
【図２】図１に示した本発明の一実施形態による液晶ディスプレイの分解斜視図である。
【図３】図１に示した本発明の一実施形態によるトルクリミッタ装置が設けられた台座の平面図である。
【図４】図１に示した本発明の一実施形態によるトルクリミッタ装置が設けられた伝達ギア部の構成を説明するための斜視図である。
【図５】図１に示した本発明の一実施形態によるトルクリミッタ装置が設けられた伝達ギア部のギアの配置関係を説明するための図である。
【図６】図１に示した本発明の一実施形態によるトルクリミッタ装置の平面図である。
【図７】図１に示した本発明の一実施形態によるトルクリミッタ装置の分解図である。
【図８】図７の２００−２００線に沿った断面図である。
【図９】図７の３００−３００線に沿った断面図である。
【図１０】図１に示した本発明の一実施形態によるトルクリミッタ装置の従動側ギアの平面図である。
【図１１】図１０の４００−４００線に沿った断面図である。
【図１２】図１０の５００−６００線に沿った断面図である。
【図１３】図１に示した本発明の一実施形態によるトルクリミッタ装置の原動側ギアの平面図である。
【図１４】図１に示した本発明の一実施形態によるディスプレイ本体の旋回動作を説明するための図である。
【図１５】図１に示した本発明の一実施形態によるディスプレイ本体の旋回動作を説明するための図である。
【符号の説明】
【００６１】
１０  ディスプレイ本体（表示画面部）
３０  台座
３１  旋回部
３３  伝達ギア部
３４  ステッピングモータ（駆動源）
６０  トルクリミッタ装置
６１  従動側ギア（第１回転部材）
６１ｂ  片部
６１ｃ  外周面
６１ｄ  内周面
６１ｅ  抜止部
６１ｆ  抜止片部
６１ｇ  座部
６１ｈ  突起部
６２  原動側ギア（第２回転部材）
６３  バネ部材
【図１】
2008095760.tif 000003
【図２】
2008095760.tif 000004
【図３】
2008095760.tif 000005
【図４】
2008095760.tif 000006
【図５】
2008095760.tif 000007
【図６】
2008095760.tif 000008
【図７】
2008095760.tif 000009
【図８】
2008095760.tif 000010
【図９】
2008095760.tif 000011
【図１０】
2008095760.tif 000012
【図１１】
2008095760.tif 000013
【図１２】
2008095760.tif 000014
【図１３】
2008095760.tif 000015
【図１４】
2008095760.tif 000016
【図１５】
2008095760.tif 000017